(57)【要約】【課題】表示素子の駆動を行わなくても画像を表示し続ける表示装置において、画像を表示するまでに要する時間を短縮しつつ、当該表示装置の駆動部における消費電力を低減する。【解決手段】駆動部１８による画像を表示するための表示体１９の駆動が終了してから、次の画像を表示するために駆動が開始されるまでの期間に亘って、昇圧回路１７は継続して昇圧する。これにより、２つ目以降の画像表示時においては、スイッチ２０がオン状態にされると直ちに、駆動部１８の入力電圧はその昇圧電圧まで上昇するから、昇圧回路１７の立ち上がり期間が生じない。また、昇圧回路１７は継続して昇圧しているものの、この期間においてスイッチ２０はオフ状態とされており、この昇圧に係る消費電力は極めて小さい。【選択図】図１
2009237029.tif 000002
【特許請求の範囲】
【請求項１】
電源の電圧を昇圧する昇圧手段と、
駆動電圧が印加されると、当該駆動電圧に応じた画像を表示し、画像を表示した後は当該駆動電圧が印加されなくても当該画像を表示し続ける表示素子群を駆動する駆動手段と、
一端が前記昇圧手段と接続されるとともに他端が前記駆動手段に接続され、前記昇圧手段と前記駆動手段とを導通させるオン状態、又は、前記昇圧手段と前記駆動手段とを導通させないオフ状態のいずれかの状態となるスイッチと、
前記昇圧手段による昇圧を継続させたまま、前記スイッチをオフ状態からオン状態にして前記駆動手段に前記昇圧された電圧で前記表示素子群の駆動を行わせ、当該駆動が終了した後に前記スイッチをオン状態からオフ状態にするよう、当該スイッチの状態を切り替える制御手段と
を備えることを特徴とする駆動装置。
【請求項２】
前記制御手段は、表示順序がそれぞれ割り当てられた複数の画像のうち、末尾の表示順序が割り当てられた画像が前記駆動手段の駆動により表示されると、前記昇圧手段による昇圧を停止させる
ことを特徴とする請求項１に記載の駆動装置。
【請求項３】
前記制御手段は、前記駆動手段による駆動が終了してから所定期間が経過するまでは前記昇圧手段による昇圧を継続させ、画像表示の指示がないまま当該所定期間が経過すると、前記昇圧手段による昇圧を停止させる
ことを特徴とする請求項１又は２に記載の駆動装置。
【請求項４】
前記制御手段は、前記昇圧手段による昇圧を開始させてから所定期間が経過するまでは当該昇圧手段による昇圧を継続させ、当該所定期間が経過すると、当該昇圧手段による昇圧を停止させる
ことを特徴とする請求項１又は２に記載の駆動装置。
【請求項５】
前記制御手段は、
画像の種別と期間とを対応付けて記憶する記憶手段と、
画像の種別を判定する判定手段とを備え、
前記駆動手段の駆動により表示された画像の種別を前記判定手段で判定し、判定した種別に対応付けて前記記憶手段に記憶されている期間を前記所定期間として、当該所定期間が経過するまでは前記昇圧手段による昇圧を継続させる
ことを特徴とする請求項３又は４に記載の駆動装置。
【請求項６】
画像データを記憶する記憶手段と、
駆動電圧が印加されると、当該駆動電圧に応じた画像を表示し、画像を表示した後は駆動電圧が印加されなくても当該画像を表示し続ける表示素子群を有する表示体と、
前記記憶手段に記憶された画像データに応じて前記表示体の表示素子群を駆動する請求項１乃至５のいずれかに記載の駆動装置と
を備えることを特徴とする表示装置。
【発明の詳細な説明】
【技術分野】
【０００１】
本発明は、記憶性を有する表示素子を用いた表示装置に関する。
【背景技術】
【０００２】
電気泳動素子等の記憶性を有する表示素子を採用した表示装置が開発されている。この種の表示装置においては、表示素子に駆動電圧を印加して画像を表示すると、その後は、駆動電圧を用いなくても画像をそのまま表示し続けることができるため、省電力化が可能となる。電気泳動素子を用いた表示装置に画像を表示する技術は、例えば特許文献１に開示されている。
【特許文献１】特開２００７−２５６７３２号公報
【発明の開示】
【発明が解決しようとする課題】
【０００３】
図６は、電気泳動素子を用いた表示装置１００のハードウェア構成の一例を示した図である。昇圧回路１７は、昇圧型スイッチングレギュレータと呼ばれるもので、コイル、コンデンサ及びスイッチ等の構成部品からなる。昇圧回路１７は、ＣＰＵ（Central Processing Unit）１１の制御の下、電源部１６の電源電圧を昇圧する動作を開始し、その昇圧
電圧を駆動部１８の入力電圧として印加する。この昇圧電圧の電位Ｖｒ、及び駆動部１８への入力電圧の電位Ｖｄは、図６に示す点Ａの電位に等しい。表示体１９は、電気泳動型の表示手段であり、画像を表示した後は駆動電圧が印加されなくても画像を表示し続けることができる。駆動部１８は、表示体１９の各電気泳動素子（表示素子）に駆動電圧を印加することによって各々の表示素子を駆動し、その駆動電圧に応じた画像を表示させる。この駆動部１８は、昇圧電圧の電位Ｖｒが所定電位ＶＴにまで上昇したときに印加される入力電圧を用いて、表示体１９の表示素子を駆動する。
【０００４】
図７は、表示装置１００が画像を表示するときの、装置各部の動作及びその状態の遷移の様子を示したタイムチャートである。同図（ａ）は、キー１５の動作を表し、同図（ｂ）は昇圧回路１７の動作を表し、同図（ｃ）は、昇圧回路１７によって印加される昇圧電圧の電位Ｖｒ（図６の点Ａの電位）を表し、同図（ｄ）は駆動部１８の動作を表している。なお、同図（ａ），（ｂ），（ｄ）において、ユーザによってキー１５が操作されたとき、昇圧回路１７が昇圧しているとき、及び、駆動部１８が表示体１９の表示素子を駆動している期間を、それぞれオン状態（ＯＮ）としており、それ以外の期間をオフ状態（ＯＦＦ）としている。
【０００５】
まず、時刻ｔ＝０において、同図（ａ）に示すように、ユーザによりキー１５が操作されて１つ目の画像の表示が指示されると、ＣＰＵ１１は昇圧回路１７内の図示せぬスイッチをオン状態にし、同図（ｂ）に示すように、昇圧回路１７は電源電圧の昇圧を開始する。これにより、同図（ｃ）に示すように、時刻ｔ＝０からｔ＝Ｔ１までの期間において昇圧電圧の電位Ｖは徐々に上昇し、時刻ｔ＝Ｔ１において所定電位ＶＴに立ち上がる。この昇圧電圧が立ち上がる期間のことを、以下では「立ち上がり期間」という。
【０００６】
時刻ｔ＝Ｔ１において、駆動部１８は表示体１９の表示素子の駆動を開始する。このとき、ＣＰＵ１１は画像データを駆動部１８に出力し、同図（ｄ）に示す時刻Ｔ１から時刻Ｔ２までの駆動期間において、駆動部１８がその画像データに応じて駆動電圧による電位差を複数の表示素子に印加し、画像を表示させる。同図（ｂ），（ｄ）に示すように、時刻ｔ＝Ｔ２において、ＣＰＵ１１は駆動部１８に駆動を終了させて駆動期間を終了するとともに、昇圧回路１７に昇圧を停止させる。時刻ｔ＝Ｔ２からｔ＝Ｔ３までの期間におい
て、昇圧回路１７により昇圧されないので、昇圧電圧の電位Ｖは時間が経つにつれて低下していく。このとき、表示体１９は、駆動部１８によって駆動電圧が印加されないものの、表示した画像をそのまま表示し続ける。そして、時刻ｔ＝Ｔ３においてキー１５が操作されて、２つ目の画像を表示することが指示されると、ＣＰＵ１１は前述した手順と同様にして、時刻ｔ＝Ｔ３からｔ＝Ｔ４までを立ち上がり期間とし、時刻ｔ＝Ｔ４からｔ＝Ｔ５までを駆動期間として、表示体１９に画像を表示させる。この構成において、表示装置１００が１つ目の画像を表示するのに要する、時刻ｔ＝０からｔ＝Ｔ２までの期間、及び２つ目の画像を表示するのに要する、時刻ｔ＝Ｔ３からｔ＝Ｔ５までの期間はほぼ同じ長さである。
【０００７】
同図（ｃ）に示すように、時刻ｔ＝０から立ち上がり期間が開始し、昇圧回路１７が昇圧を開始しても、昇圧電圧が直ちに所定電位ＶＴにまで立ち上がるわけでなく、昇圧電圧は徐々に立ち上がり、立ち上がり時間として時間Ｔ１を要している。この時間Ｔ１は、例えば０．３秒〜０．６秒程度であり、昇圧回路１７が駆動期間のような安定した昇圧をするまでには、或る程度の時間を要してしまう。このように相当の立ち上がり時間を要するのは、昇圧回路１７に用いられているコイルやコンデンサにエネルギーが蓄えられるまでに時間を要するためである。よって、ユーザは画像の表示を指示してから、表示体１９に画像が表示されるまで、この立ち上がり期間及び駆動期間の分だけ待たなければならない。また、時刻ｔ＝Ｔ３において、ユーザが次の画像の表示を指示した場合にも、やはり、この立ち上がり期間及び駆動期間とほぼ同じ期間だけ待たなければならない。
そこで、本発明は、表示素子の駆動を行わなくても画像を表示し続ける表示装置において、画像を表示するまでに要する時間を短縮しつつ、当該表示装置の駆動部における消費電力を低減することを目的とする。
【課題を解決するための手段】
【０００８】
上述した目的を達成するために、本発明は、電源の電圧を昇圧する昇圧手段と、駆動電圧が印加されると、当該駆動電圧に応じた画像を表示し、画像を表示した後は当該駆動電圧が印加されなくても当該画像を表示し続ける表示素子群を駆動する駆動手段と、一端が前記昇圧手段と接続されるとともに他端が前記駆動手段に接続され、前記昇圧手段と前記駆動手段とを導通させるオン状態、又は、前記昇圧手段と前記駆動手段とを導通させないオフ状態のいずれかの状態となるスイッチと、前記昇圧手段による昇圧を継続させたまま、前記スイッチをオフ状態からオン状態にして前記駆動手段に前記昇圧された電圧で前記表示素子群の駆動を行わせ、当該駆動が終了した後に前記スイッチをオン状態からオフ状態にするよう、当該スイッチの状態を切り替える制御手段とを備えることを特徴とする駆動装置を提供する。このような駆動装置を備える表示装置においては、画像を表示するまでに要する時間を短縮しつつ、当該表示装置の駆動部における消費電力を低減することができる。
【０００９】
また、本発明は、画像データを記憶する記憶手段と、駆動電圧が印加されると、当該駆動電圧に応じた画像を表示し、画像を表示した後は駆動電圧が印加されなくても当該画像を表示し続ける表示素子群を有する表示体と、前記記憶手段に記憶された画像データに応じて前記表示体の表示素子群を駆動する上記構成の駆動装置とを備えることを特徴とする表示装置を提供する。これによれば、表示素子の駆動を行わなくても画像を表示し続ける表示装置において、画像を表示するまでに要する時間を短縮しつつ、当該表示装置の駆動部における消費電力を低減することができる。
【発明を実施するための最良の形態】
【００１０】
次に、本発明を実施するための最良の形態について、図面を参照しながら説明する。
（Ａ）実施形態の構成
図１は、表示装置１０の構成を示すブロック図である。同図において、実線矢印は各種
制御信号の流れを示している。
同図に示すように、表示装置１０は、ＣＰＵ１１と、ＲＯＭ（Read Only Memory）１２と、ＲＡＭ（Random Access Memory）１３と、Ｉ／Ｏ１４と、キー１５と、電源部１６と、昇圧回路１７と、駆動部１８と、表示体１９と、スイッチ２０と、記憶部２１とを備えている。ＣＰＵ１１、昇圧回路１７、駆動部１８、及びスイッチ２０は、表示体１９を駆動して画像を表示させる駆動装置として機能する。
【００１１】
ＣＰＵ１１は、ＲＯＭ１２や記憶部２１に記憶された制御プログラムをＲＡＭ１３に読み出して実行することにより、表示装置１０の各部を制御する。ＣＰＵ１１は、装置内の各部に電力を供給させるよう電源部１６を制御したり、記憶部２１に記憶された画像ファイルや文書ファイルに基づいてビットマップ形式の画像データをＲＡＭ１３上に生成し、その画像データに応じた画像を表示体１９に表示させるべく駆動部１８を制御したりする。また、表示体１９に画像を表示するに際して、ＣＰＵ１１は、昇圧回路１７に昇圧させたり、スイッチ２０のオフ又はオンを切り替える等の制御を行う。ＲＡＭ１３は、ＣＰＵ１１がプログラムを実行する際に、ＣＰＵ１１のワークエリアとなる。Ｉ／Ｏ１４は、キー１５の操作状態を監視しており、ユーザによってキー１５が操作されるとその操作に応じた信号をＣＰＵ１１に供給する。キー１５は、ユーザによる操作を受け付ける操作手段であり、例えば複数の操作キーやジョイスティック、タッチペン等の操作デバイスからなる。
【００１２】
電源部１６は、バッテリと電力制御回路とを備え、ＣＰＵ１１の制御の下で、表示装置１０の作動に要する電力を装置内各部へ供給する。電源部１６のバッテリは、例えばニッケル水素系電池やリチウムイオン系電池などの、充電可能な２次電池である。昇圧回路１７は、コイル、コンデンサ及びスイッチ等の構成部品からなるスイッチングレギュレータであり、電源部１６の電圧を昇圧する昇圧手段として機能する。スイッチ２０は、一端が昇圧回路１７と接続されるとともに他端が駆動部１８に接続され、昇圧回路１７と駆動部１８とを導通させるオン状態、又は、昇圧回路１７と駆動部１８とを導通させないオフ状態のいずれかの状態となる。スイッチ２０としてＭＯＳトランジスタ（電界効果トランジスタ）を用いた場合、そのドレインが昇圧回路１７の一端に接続されると共に、ソースが駆動部１８に接続され、ＣＰＵ１１の制御の下、ゲートに印加されるゲート電圧によって、スイッチ２０のオン状態とオフ状態とが切り替えられる。スイッチ２０がオン状態となったときには、駆動部１８および表示体１９は、昇圧回路１７と導通するので、昇圧電圧に応じた電圧が駆動部１８の入力電圧として印加される。このとき、昇圧電圧の電位Ｖｒと、駆動部１８の入力電圧の電位Ｖｄはほぼ一致する。
【００１３】
表示体１９は、電気泳動素子型の表示手段であり、複数の表示素子（表示素子群）や各種電極を有している。表示体１９が備える各表示素子は、駆動電圧が印加されると、当該駆動電圧に応じた画像を表示し、画像を表示した後は駆動電圧が印加されなくても当該画像を表示し続けることができる。これを、表示の記憶性という。この表示体１９は、駆動部１８によって各表示素子が駆動させられることにより、自身の表示領域に画像データに応じた画像を表示する。表示体１９の構成について詳しくは後述する。
【００１４】
駆動部１８は、昇圧回路１７によって昇圧された昇圧電圧がスイッチ２０を介して入力電圧として印加されると、それを用いて表示体１９の各々の表示素子を駆動し、ＲＡＭ１３から読み出される画像データに応じた画像を表示させる。すなわち、駆動部１８は、駆動電圧が印加されると、駆動電圧に応じた画像を表示し、画像を表示した後は駆動電圧が印加されなくても当該画像を表示し続ける表示素子群を駆動する駆動手段として機能する。記憶部２１は、例えばＥＥＰＲＯＭ（Electrically Erasable and Programmable Read Only Memory）やフラッシュメモリ等の不揮発性記憶手段であり、文書ファイルや画像フ
ァイル等の画像表示に係る各種ファイルを記憶する。
【００１５】
図２は、表示体１９の構造を模式的に示した図である。同図に示すように、表示体１９は、第１基板１９１、複数の電気泳動素子Ｐ、バインダ１９２及び第２基板１９３により構成されている。第１基板１９１は、ガラス又は樹脂からなる平面状の基板であり、図中上方の表面側には複数の画素電極ＰＥが配列されている。第１基板１９１に対向する第２基板１９３は、透明なガラス又は樹脂からなる平面状の基板であり、図中下方の裏面側には共通電極ＣＥが設けられている。複数の画素電極ＰＥと共通電極ＣＥとの間には、表示素子Ｐとしての膨大数の電気泳動素子が並べられた状態でバインダ１９２により固定されている。表示素子Ｐは、マイクロカプセル化されており、その内部には、色粒子としてのプラス（＋）に帯電した黒色顔料粒子ＢＧ、マイナス（−）に帯電した白色顔料粒子ＷＧが封入されている。表示体１９に画像が表示されるときには、駆動部１８によって各画素電極ＰＥ−共通電極ＣＥ間に駆動電圧が印加され、この電位差に応じて表示素子Ｐ内にある色粒子が移動させられる。表示素子Ｐに黒色の画像を表示させる際には、駆動部１８はその下方にある画素電極ＰＥの電位が共通電極ＣＥの電位よりも高くなるような駆動電圧を印加する。これにより、黒色顔料粒子ＢＧのみが表示体１９の表面に移動され、黒色の画像が表示される。一方、表示素子Ｐに白色の画像を表示させる際には、駆動部１８はその下方にある画素電極ＰＥの電位が共通電極ＣＥの電位よりも低くなるような駆動電圧を印加する。これにより、白色顔料粒子ＷＧのみが表示体１９の表面に移動され、白色の画像が表示される。
【００１６】
（Ｂ）動作
図３は、表示装置１０が表示体１９に画像を表示するときの、装置各部の動作及び状態の遷移の様子を示すタイムチャートである。なお、同図（ａ）はキー１５の動作を表し、同図（ｂ）は昇圧回路１７の動作を示し、同図（ｃ）はスイッチ２０の駆動状態を表し、同図（ｄ）は駆動部１８の入力電圧の電位Ｖｄ（すなわち、図１の点Ａの電位）を表し、同図（ｅ）は駆動部１８の動作を表し、同図（ｆ）は昇圧回路１７によって印加される昇圧電圧の電位Ｖｒ（図１の点Ｂの電位）を表している。これらの図において、ユーザによってキー１５が操作されたとき、昇圧回路１７が昇圧している期間、及び、駆動部１８が表示体１９の表示素子を駆動している期間をそれぞれオン状態（ＯＮ）としており、それ以外の期間をオフ状態（ＯＦＦ）としている。また、このタイムチャートに示す時刻ｔ＝０に先立って、ユーザによって表示装置１０の図示せぬ電源スイッチがオンされて、表示装置１０は作動を開始している。このとき、昇圧回路１７はオフ状態とされて昇圧しておらず、昇圧電圧の電位Ｖｒは「０Ｖ」で、駆動部１８の入力電圧の電位Ｖｄも「０Ｖ」で、駆動していないものとする。また、スイッチ２０はオフ状態で、昇圧回路１７と、駆動部１８及び表示体１９とは導通していない。
【００１７】
時刻ｔ＝０において、同図（ａ）に示すようにユーザによってキー１５が操作されて、１つ目の画像の表示が指示されると、同図（ｂ）に示すように、ＣＰＵ１１は昇圧回路１７に対して電源電圧の昇圧を開始させるための制御信号を出力する。これに応じて、昇圧回路１７はオフ状態からオン状態へと切り替わり、電源部１６の電源電圧の昇圧を開始する。また、この時刻ｔ＝０において、同図（ｃ）に示すように、ＣＰＵ１１は、スイッチ２０をオフ状態からオン状態に切り替えるためのゲート電圧を印加するよう制御する制御信号を、スイッチ２０に出力する。すなわち、ＣＰＵ１１は、昇圧回路１７による昇圧が開始されるときに、スイッチ２０をオン状態にする。これにより、スイッチ２０は、昇圧回路１７と駆動部１８とを導通させたオン状態となる。
【００１８】
時刻ｔ＝０からｔ＝Ｔ１までの期間は立ち上がり期間である。この期間において、同図（ｆ）に示すように、昇圧回路１７によって点Ｂに印加される昇圧電圧の電位Ｖｒは時間経過とともに徐々に上昇する。また、この立ち上がり期間においてスイッチ２０はオン状態であるから、同図（ｄ）に示すように、駆動部１８に印加される入力電圧の電位Ｖｄも
、昇圧電圧に応じて上昇する。ただし、この期間内においては、昇圧電圧は所定電位ＶＴに達しておらず、駆動部１８は表示体１９を駆動しない。
【００１９】
時刻ｔ＝Ｔ１において立ち上がり期間は終了し、同図（ｄ）、（ｆ）に示すように、昇圧電圧の電位Ｖｒ及び駆動部１８の入力電圧の電位Ｖｄは、所定電位ＶＴに到達する。続いて、時刻ｔ＝Ｔ１からｔ＝Ｔ２までの期間は駆動期間である。この駆動期間において、まず、ＣＰＵ１１は、記憶部２１から画像表示に用いるファイルを読み出して、ＲＡＭ１３上に画像データを生成する。そして、ＣＰＵ１１は、この画像データを駆動部１８に出力する。駆動部１８は、この画像データに応じて表示体１９の複数の画素電極ＰＥ−共通電極ＣＥ間に駆動電圧を印加して、表示体１９の表示素子を駆動する。この駆動期間においては、同図（ｄ），（ｆ）に示すように、昇圧回路１７によって所定電位ＶＴの入力電圧が駆動部１８に印加され、同図（ｅ）に示すように、駆動部１８は、この入力電圧を用いた駆動電圧で表示体１９の各々の表示素子を駆動する。
【００２０】
そして、同図（ｅ）に示すように、時刻ｔ＝Ｔ２において駆動部１８による表示体１９に画像を表示させるための表示素子の駆動は終了し、ここで駆動期間は終了する。このとき、ＣＰＵ１１は、同図（ｃ）に示すように、スイッチ２０をオン状態からオフ状態に切り替える。その一方で、ＣＰＵ１１は、昇圧回路１７に対しては昇圧を停止させずに、昇圧をそのまま継続して行わせる。スイッチ２０がオフ状態とされたことにより、昇圧回路１７と、駆動部１８及び表示体１９とは導通されていないオフ状態となるから、同図（ｄ）に示すように、駆動部１８の入力電圧の電位Ｖｄは、駆動期間後の時刻ｔ＝Ｔ３からｔ＝Ｔ４にかけて、時間経過と共に低下していく。一方、昇圧回路１７による昇圧は継続して行われているから、この期間においても、昇圧電圧の電位ＶｒはそのままＶＴに維持される。
以上が、表示装置１０が１つ目の画像を表示するとき、すなわちスイッチ２０をオン状態にするときに昇圧回路１７に昇圧を開始させるときの、表示装置１０の動作の説明である。
【００２１】
続いて、表示装置１０が２つ目の画像を表示体１９に表示するときの動作について説明する。図３（ｂ）に示すように、１つ目の画像表示時において駆動期間が終了した時刻Ｔ２において、ＣＰＵ１１は昇圧回路１７による昇圧を停止させなかったから、キー１５の操作が行われる時刻Ｔ３まで継続して、昇圧回路１７による昇圧は行われている。同図（ａ）に示すように、時刻ｔ＝Ｔ３において、ユーザによってキー１５が操作されて、２つ目の画像の表示が指示されると、同図（ｃ）に示すように、ＣＰＵ１１は、スイッチ２０に制御信号を出力して、これをオフ状態からオン状態に切り替える。これにより、スイッチ２０がオン状態となり、昇圧回路１７と、駆動部１８と表示体１９とが導通する。
【００２２】
この導通により、時刻ｔ＝Ｔ３に、昇圧回路１７によって昇圧された昇圧電圧が駆動部１８に入力電圧として印加されることになる。この時刻ｔ＝Ｔ３において、昇圧回路１７はすでに電源電圧を所定電位ＶＴに昇圧しているから、スイッチ２０がオン状態となると、直ちに駆動部１８の入力電圧の電位Ｖｄもこれに応じた電位となる。よって、駆動部１８の入力電圧の電位Ｖｄも、直ちに昇圧電圧の電位Ｖｒと同等の電位ＶＴに到達する。したがって、表示装置１００における立ち上がり期間（Ｔ４―Ｔ３）よりも短い、期間（Ｔ４ａ―Ｔ３）で入力電圧Ｖｄは所定電位ＶＴに到達する。
図（ｆ）に示すように、スイッチ２０がオン状態にされると、駆動部１８及び表示体１９に相当する分だけ表示装置１０にとっての負荷は増えるから、一時的に昇圧電圧の電位Ｖｒは所定電位ＶＴから低下しているが、電位Ｖｒはすみやかに所定電位ＶＴに戻る。
【００２３】
そして、時刻ｔ＝Ｔ４ａにおいて、駆動部１８の入力電圧の電位Ｖｄが所定電位ＶＴに達すると、駆動部１８はこの入力電圧を用いて、上述したのと同様にして、時刻Ｔ５ａま
でを駆動期間として、表示体１９に画像を表示させるために各々の表示素子を駆動する。すなわち、ＣＰＵ１１は、昇圧回路１７による昇圧を継続させたまま、スイッチ２０をオフ状態からオン状態にして駆動部１８に昇圧された電圧で表示素子群の駆動を行わせ、当該駆動が終了した後にスイッチ２０をオン状態からオフ状態にするよう、スイッチ２０の状態を切り替える制御手段として機能する。
【００２４】
このように、２つ目の画像表示時において、ユーザによって画像を表示することが指示されて、ＣＰＵ１１が、駆動部１８及び表示体１９と、昇圧回路１７とを導通させるためにスイッチ２０をオン状態としたとき、昇圧回路１７はすでに電源電圧を所定電位ＶＴに昇圧している。これにより、表示装置１００のように、スイッチ２０をオン状態とするときに昇圧も開始する場合のような立ち上がり期間を要さず、画像の表示の指示があってから駆動部１８が駆動を開始するまでの期間を短縮するという効果を得ることができるこれと同じ理由により、表示装置１０が上記の２つの画像に続いて、３つ目以降の画像を表示する場合にも同様の効果を得ることができる。
【００２５】
以上説明した実施形態によれば、駆動部１８による画像を表示するための表示体１９の駆動が終了してから、次の画像を表示するための駆動が開始されるまでの期間に亘って、昇圧回路１７は継続して昇圧しているので、この昇圧の継続中においては昇圧回路１７が所定電位ＶＴに立ち上がるまでの立ち上がり期間が生じない。したがって、２つ目以降の画像表示時においては、スイッチ２０がオン状態にされると直ちに、駆動部１８の入力電圧はその昇圧電圧まで上昇し、駆動部１８はすぐに画像を表示することができる。よって、表示装置１０を用いて次々とページを切り替えて画像を表示するような場合であっても、ユーザを待たせることが無くなる。
また、立ち上がり期間及び駆動期間以外の期間においても、昇圧回路１７は継続して昇圧しているものの、この期間においてスイッチ２０はオフ状態とされているから、スイッチ２０が常にオン状態にされている場合と比べると、駆動部１８による消費電力は極めて少ない。
【００２６】
（Ｃ）変形例
上記実施形態を次のように変形してもよい。具体的には、例えば以下のような変形が挙げられる。これらの変形は、各々を適宜に組み合わせることも可能である。
（Ｃ−１）変形例１
上述した実施形態では、時刻ｔ＝Ｔ２からｔ＝Ｔ３までの期間のように、駆動部１８が駆動しない期間においても、昇圧回路１７は継続して昇圧していた。これに対し、この駆動期間の後の期間において、昇圧しないようにする期間を設けてもよい。この態様について、以下に説明する。
【００２７】
例えば、表示装置１０が、電子書籍などの複数ページの画像を含む画像データに応じて、画像を表示することがある。このような画像データにおいては複数の画像（ページ）のそれぞれに表示順序としてページ番号が割り当てられており、表示装置１０は、このページ番号と各ページの画像データを対応付けて記憶部２１に記憶し、ページ番号に従った表示順序で画像を表示する。ユーザによってページを切り替える旨のキー１５の操作が行われるたびに、ＣＰＵ１１はページを切り替えて画像を表示し、やがて、最終ページの画像、つまり表示順序が末尾の画像を表示することになる。ユーザがこの最終ページの画像を読み終えると、その書籍を読み終えることになる。ユーザが書籍を読み終えると、そのまま表示装置１０の使用を辞めたり、その電源を切る頻度が比較的高いと言える。
【００２８】
そこで、本変形例では、表示装置１０が複数の画像を含む画像データに応じて画像を表示する場合に、駆動部１８が最終ページの画像（表示順序が末尾の画像）を表示するための駆動を終了したら、ＣＰＵ１１はスイッチ２０をオフ状態とするとともに、昇圧回路１
７の昇圧も停止させる。すなわち、本変形例では、ＣＰＵ１１は、表示順序がそれぞれ割り当てられた複数の画像のうち、末尾の表示順序が割り当てられた画像が駆動部１８の駆動により表示されると、昇圧回路１７による昇圧を停止させる制御手段として機能する。なお、上記のようにして昇圧を停止させた後に、別の画像を表示する場合には、ＣＰＵ１１は、上記の１つ目の画像を表示する場合と同様の制御を行う。
また、この態様において、画像データにおける最終ページの画像に、末尾の表示順序を割り当てるのではなく、その途中のページに末尾の表示順序を割り当ててもよい。例えば、複数ページの画像のうちのどのページまで閲覧するかが予めユーザによって指定されている場合には、ＣＰＵ１１はその画像に末尾の表示順序を割り当てればよい。その画像が最後に閲覧されるということが、ユーザにより指定されているからである。また、文書が複数の章から構成されている場合には、ユーザが章単位で閲覧する可能性が高いから、各章の最終ページの画像に末尾の表示順序を割り当てるようにしてもよい。要するに、ユーザが最後に閲覧するであろう画像に対して末尾の表示順序を割り当てればよい。なお、この末尾の表示順序は、ユーザによって指定されることで割り当てられてもよいし、市販の書籍等の場合には、製造段階で割り当てられていてもよい。
このように、表示装置が昇圧回路１７の昇圧を適宜停止させることで、昇圧回路１７内部での消費電力が低減されるから、表示装置１０全体としての省電力化の効果をさらに高めることができる。
【００２９】
（Ｃ−２）変形例２
また、ＣＰＵ１１は、駆動部１８による駆動が終了してから所定期間が経過するまでに画像を表示する旨の指示がなければ、昇圧回路１７の昇圧を停止するようにしてもよい。ある程度長い期間に亘って表示素子の駆動が行われないような場合には、例えば、表示体１９に表示されている画像に含まれる文字等の情報量が多く、ユーザがそれを閲覧するのに時間がかかったり、表示装置１０を放置したままユーザが立ち去っているといったことが考えられる。このようなことから、表示装置１０に対して所定期間、画像表示の指示がなければ、それ以降も当分の間は画像表示の指示がないと推測することができる。このとき、ＣＰＵ１１が昇圧回路１７に昇圧を停止させるようにすれば、省電力化の効果をさらに高めることができる。この態様において、ＣＰＵ１１は計時手段としてタイマを備え、駆動期間の終了時刻からタイマによる計時を開始する。そして、設計段階或いはユーザによって設定された所定期間が経過するまでに、別の画像を表示することが指示されなければ、ＣＰＵ１１は昇圧回路１７の昇圧を停止させる。すなわち、本変形例のＣＰＵ１１は、駆動部１８による駆動が終了してから所定期間が経過するまでは昇圧回路１７による昇圧を継続させ、画像表示の指示がないまま所定期間が経過すると、昇圧回路１７による昇圧を停止させる制御手段として機能する。
【００３０】
図４は、昇圧回路１７及び駆動部１８の動作の一例を示すタイムチャートである。ここでは、駆動期間が終了してから昇圧を停止するまでの上記所定期間をΔｔｈとする。
同図に示すように、時刻ｔ＝Ｔ２１に駆動期間Ｄ１が終了すると、タイマによる計時を行いつつ、その後もＣＰＵ１１は昇圧回路１７に昇圧を継続させる。そして、時刻ｔ＝Ｔ２１から所定期間Δｔｈが経過していない時刻Ｔ２１＋Δｔ１において、ユーザにより画像の表示が指示されると（つまり、Δｔ１＜Δｔｈ）、ＣＰＵ１１は、再び駆動部１８の駆動を開始する。この場合、実施形態と同様に、ＣＰＵ１１は駆動期間Ｄ１，Ｄ２の間も昇圧回路１７に昇圧を継続させることになる。続いて、時刻ｔ＝Ｔ２２に駆動期間Ｄ２が終了して、そこから所定期間Δｔｈが経過するまでに、ユーザにより画像の表示が指示されなかった場合には、ＣＰＵ１１は時刻ｔ＝Ｔ２２＋Δｔｈに昇圧回路１７に昇圧を停止させる。なお、この態様においても、駆動部１８が表示素子群を駆動するときにはＣＰＵ１１はスイッチ２０をオン状態とし、駆動部１８が表示素子群を駆動しないときにはスイッチ２０をオフ状態としている。
【００３１】
（Ｃ−３）変形例３
また、ＣＰＵ１１は、昇圧回路１７に昇圧を開始させてから所定期間が経過する度に、昇圧を停止させるようにしてもよい。この所定期間としては、例えば画像を表示するための駆動部１８の駆動及びユーザによるその画像の閲覧が複数回に亘って行うことができる程度の期間が適当である。ユーザが表示装置１０を用いて複数の画像を次々と閲覧し続ける期間にはある程度の限度があるし、また、例えばユーザが表示装置１０の電源を切り忘れることもしばしばある。そこで、表示装置１０は昇圧回路１７の昇圧を開始してから所定期間が経過するたびに、駆動部１８の駆動を停止すると共に、昇圧回路１７の昇圧も停止する。このようにすれば、例えばユーザが表示装置１０の電源を切り忘れた場合であっても、消費電力の低減を図ることができる。この態様において、ＣＰＵ１１は計時手段としてタイマを備え、昇圧回路１７による昇圧の開始時刻からタイマによる計時を開始する。そして、設計段階或いはユーザによって設定された所定期間が経過するたびに、昇圧回路１７の昇圧を停止させる。すなわち、本変形例のＣＰＵ１１は、昇圧回路１７による昇圧を開始させてから所定期間が経過するまでは昇圧回路１７による昇圧を継続させ、その所定期間が経過すると、昇圧回路１７による昇圧を停止させる制御手段として機能する。
【００３２】
図５は、昇圧回路１７及び駆動部１８の動作の一例を示すタイムチャートである。ここでは、昇圧を開始してからそれを停止するまでの上記所定期間をＴＡとする。
同図に示すように、ＣＰＵ１１は、昇圧回路１７の昇圧及び駆動部１８による駆動を時刻ｔ＝Ｔ３１に開始させて、タイマによる計時を行いつつ、実施形態と同様にして昇圧回路１７及び駆動部１８を制御する。そして、時刻ｔ＝Ｔ３１から所定期間ＴＡが経過した時刻ｔ＝Ｔ３１＋ＴＡにおいて、ＣＰＵ１１が、駆動部１８の駆動が行われていないことを確認したときには、昇圧回路１７に昇圧を停止させる。このとき、ＣＰＵ１１が、駆動部１８が駆動していないことを確認するのは、画像表示に係る駆動部１８の駆動を妨げないためである。駆動部１８の駆動が行われている場合、ユーザによって表示装置１０が積極的に利用されていることになり、ここで昇圧を停止することは適当ではないので、ＣＰＵ１１は、昇圧を継続させたまま、改めて計時を開始すればよい。
図５の例では、所定期間ＴＡ経過時には、駆動部１８の駆動が行われていないので、ＣＰＵ１１は、昇圧回路１７に昇圧を停止させている。そして、次に画像の表示が指示された時刻Ｔ３２において、ＣＰＵ１１は昇圧回路１７に対して昇圧を開始させ、タイマによる計時を再び開始する。この態様においても実施形態と同様に、ＣＰＵ１１は、駆動部１８が表示素子群を駆動するときには、スイッチ２０をオン状態とし、駆動部１８が表示素子群を駆動しないときにはスイッチ２０をオフ状態とする。なお、所定期間ＴＡの経過時にＣＰＵ１１が、駆動部１８が駆動していないことを確認する動作は、必須ではなく、所定期間ＴＡが経過すると必ず昇圧回路１７に昇圧を停止させるようにしてもよい。
【００３３】
（Ｃ−４）変形例４
上記変形例２，３の構成において、ＣＰＵ１１は、表示する画像の種別に応じて上記所定期間の長さを定めてもよい。例えば、１つの画像に含まれる文字数が多ければ、ユーザがそのページを表示したままとする期間は長くなり、反対に、挿絵等の視覚的な情報が多い場合には、比較的短い期間でページが切り替えられることが考えられる。そこで、ＣＰＵ１１は表示体１９に表示する画像の種別を判定し、判定した画像の種別に応じて上記所定期間の長さを定める。以下、この構成について具体的に説明する。
【００３４】
まず、変形例２の構成に適用した場合について説明する。
この構成においては、表示装置１０は記憶部２１に画像の種別と期間とを対応付けてテーブル形式で記憶しておく。このテーブルにおいては、画像の種別として、例えば「小説」、「コミック」、「イラスト」が記述されており、それぞれに対して、駆動期間が終了してから昇圧を停止させるまでの期間（所定期間）の長さとしてそれぞれ、期間「ｔｐ」，「ｔｑ」，「ｔｒ」が対応付けられている。このとき、各画像中の文字数は、「小説」
＞「コミック」＞「イラスト」という順序であると考えられ、ユーザがそれを閲覧する場合に要する時間もこれと同じ順序であると考えられるため、期間「ｔｐ」，「ｔｑ」，「ｔｒ」の大小関係はｔｐ＞ｔｑ＞ｔｒとなる。
また、記憶部２１に記憶されている各種ファイルにはその画像の種別を表す種別情報が含まれている。この種別情報は、市販の電子書籍であれば製造段階で予め設定されていればよいし、また、ユーザによって設定される構成であってもよい。
【００３５】
ＣＰＵ１１が画像を表示するに際しては、記憶部２１からファイルを読み出すと、それに対応付けられている種別情報に従って画像の種別を判定する。すなわち、ＣＰＵ１１は、画像の種別を判定する判定手段として機能する。そして、ＣＰＵ１１は、読み出したファイルに基づいて画像データを生成して駆動部１８に出力する一方で、記憶部２１からテーブルを読み出し、このテーブルにおいて、判定した画像の種別に対応付けられている期間の長さを特定する。例えば、ＣＰＵ１１が画像の種別が「小説」であると判定した場合には、期間の長さとして時間「ｔｐ」を特定する。そして、ＣＰＵ１１は自身が備えるタイマで昇圧回路１７の昇圧を停止させてからの期間の計時を開始する。ＣＰＵ１１は、時間ｔｐが経過するまでは昇圧回路１７による昇圧を継続させ、画像を表示する指示がないまま時間ｔｐが経過すると、昇圧回路１７による昇圧を停止させる。すなわち、ＣＰＵ１１は、駆動部１８の駆動により表示された画像の種別を判定し、判定した種別に対応付けて記憶部２１に記憶されている期間を前記所定期間として、当該所定期間が経過するまでは昇圧回路１７による昇圧を継続させる制御手段として機能する。
【００３６】
次に、変形例３の構成に適用した場合について説明する。
この構成においても、表示装置１０は記憶部２１に画像の種別と期間とを対応付けてテーブル形式で記憶する。ただし、このテーブルにおいては、複数回に亘って駆動部１８の駆動及びユーザの画像の閲覧が行われる程度の期間が設定される。画像を表示するに際しては、ＣＰＵ１１は、画像の種別を特定し、テーブルの内容に従って所定期間の長さを特定する。そして、ＣＰＵ１１は、昇圧回路１７によって昇圧を開始させるとともにタイマによる計時を開始する。ＣＰＵ１１は、この昇圧を開始させてから特定した所定期間が経過するまでは昇圧回路１７による昇圧を継続させ、この所定期間が経過すると、昇圧回路１７による昇圧を停止させる。
本変形例によれば、表示装置は、画像の種別に応じて、昇圧回路１７による昇圧を停止するまでの期間を定めるから、ユーザが画像の閲覧に要する期間が長いと予測される場合には昇圧停止までの期間を長くし、閲覧に要する期間が短いと予測される場合であれば昇圧停止までの期間を短くすることができる。これにより、駆動期間外にも昇圧回路１７の昇圧を継続させて画像を表示するまでに要する期間を短縮しつつ、表示装置全体としての消費電力をさらに低減させることができる。
【００３７】
（Ｃ−５）変形例５
上述した実施形態では、表示体１９は電気泳動素子型の表示体であったが、これ以外の表示素子を用いた表示体としてもよい。要するに、駆動電圧に応じた画像を表示し、画像を表示した後は駆動電圧が印加されなくても当該画像を表示し続ける表示素子群からなる表示体であればよい。
また、昇圧回路１７は、昇圧型スイッチングレギュレータに限らず、例えばチャージポンプ式などの昇圧手段を用いてもよい。昇圧回路が立ち上がり期間を要し、駆動部が表示素子を駆動する期間だけに行われるのであれば、立ち上がり期間を短縮するという、上記と同じ効果を得ることができる。
上述した実施形態では、表示装置１０は薄型で可搬性の高い表示装置であったが、実施形態で説明したような画像表示を行うことができればよく、ＰＤＡ（Personal Digital Assistant）や、パーソナルコンピュータ又は携帯電話機等の表示装置であってもよい。
【図面の簡単な説明】
【００３８】
【図１】表示装置の構成を示すブロック図である。
【図２】表示体の構造を模式的に示した図である。
【図３】表示装置が表示体に画像を表示するときの、装置各部の動作及び状態の遷移の様子を示すタイムチャートである。
【図４】変形例２における昇圧回路及び駆動部の動作の様子を示すタイムチャートである。
【図５】変形例３における昇圧回路及び駆動部の動作の様子を示すタイムチャートである。
【図６】従来の表示装置のハードウェア構成の一例を示した図である。
【図７】従来の表示装置が表示体に画像を表示するときの、装置各部の動作、及びその状態の遷移の様子を示すタイムチャートである。
【符号の説明】
【００３９】
１０…表示装置、１１…ＣＰＵ、１２…ＲＯＭ、１３…ＲＡＭ、１４…Ｉ／Ｏ、１５…キー、１６…電源部、１７…昇圧回路、１８…駆動部、１９…表示体、１９１…第１基板、１９２…バインダ、１９３…第２基板、２０…スイッチ、２１…記憶部。
【図１】
2009237029.tif 000003
【図２】
2009237029.tif 000004
【図３】
2009237029.tif 000005
【図４】
2009237029.tif 000006
【図５】
2009237029.tif 000007
【図６】
2009237029.tif 000008
【図７】
2009237029.tif 000009